(57)【特許請求の範囲】
【請求項１】
パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機であって、
前記パネル収容部材は、
内部に前記パネル部材を収容するパネル収容部材本体と、
前記扉体の裏面側に設けられ、前記パネル部材を前記パネル収容部材本体の内部に収容するときに前記パネル部材が挿通する第１挿通部と、
前記扉体の裏面側に設けられ、前記パネル収容部材本体の内部に収容された前記パネル部材を取り出すときに前記パネル部材が挿通する第２挿通部と、
前記パネル収容部材本体内部の前記パネル部材を前記第２挿通部から排出する排出部材と、
を有することを特徴とする遊技機。
【請求項２】
前記第１挿通部に挿通される前記パネル部材を検知する検知手段と、
前記排出部材を駆動制御する制御手段と、
を有し、
前記制御手段は、前記検知手段で前記パネル部材を検知した検知結果に基づいて前記排出部材を駆動し、前記パネル収容部材本体内部に位置する前記パネル部材を前記第２挿通部から排出することを特徴とする請求項１に記載の遊技機。
【請求項３】
前記排出部材は、回転駆動することにより前記パネル収容部材本体内部の前記パネル部材に圧力を作用させる複数のローラ部材で構成されており、
各々の前記ローラ部材から前記パネル収容部材本体内部の前記パネル部材に作用する圧力が略同じ圧力となるように、前記回転駆動が前記制御手段により制御されることを特徴とする請求項２に記載の遊技機。
【請求項４】
前記排出部材は、前記パネル収容部材本体に中心軸の軸回りに回転可能に設けられたバランス調整部材であり、
前記バランス調整部材は、前記バランス調整部材の軸方向一方側端部に前記パネル部材が載せられた状態で、軸方向他方側端部に作用した圧力により前記中心軸の軸回りに回転することにより、前記軸方向一方側端部に載せられた前記パネル部材を前記第１挿通部又は前記第２挿通部から排出することを特徴とする請求項１又は２に記載の遊技機。
【請求項５】
前記扉体に、前記第２挿通部を挿通した前記パネル部材を受け止める受止部材を設けたことを特徴とする請求項１乃至４のいずれか１項に記載の遊技機。
【請求項６】
前記第１挿通部は、前記パネル収容部材の前記第２挿通部よりも重力作用方向上流側に形成された上側開口部であり、
前記第２挿通部は、前記パネル収容部材の前記第１挿通部よりも重力作用方向下流側に形成された下側開口部であることを特徴とする請求項１乃至５のいずれか１項に記載の遊技機。
【請求項７】
前記扉体の裏面側に、前記遊技部材が取り付けられる中板部材を前記扉体に対して開閉可能となるように設け、
前記中板部材を前記扉体に対して開放することで、前記第１挿通部及び前記第２挿通部が露呈されることを特徴とする請求項１乃至６のいずれか１項に記載の遊技機。
【請求項８】
パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機のパネル部材排出方法であって、
前記パネル収容部材は、
内部に前記パネル部材を収容するパネル収容部材本体と、
前記扉体の裏面側に設けられ、前記パネル部材を前記パネル収容部材本体の内部に収容するときに前記パネル部材が挿通する第１挿通部と、
前記扉体の裏面側に設けられ、前記パネル収容部材本体の内部に収容された前記パネル部材を取り出すときに前記パネル部材が挿通する第２挿通部と、
を有し、
前記パネル収容部材本体に第１の前記パネル部材が収容されている状態で第２の前記パネル部材を前記第１挿通部から挿通し、第２の前記パネル部材から前記パネル収容部材本体に収容されている第１の前記パネル部材に対して圧力を作用させることにより、前記パネル収容部材本体に収容されている第１の前記パネル部材を前記第２挿通部から排出させることを特徴とする遊技機のパネル部材排出方法。
【発明の詳細な説明】
【技術分野】
【０００１】
本発明は、パネル部材を有し遊技球や遊技メダル等の遊技媒体を用いて遊技を行う遊技機及びそのパネル部材排出方法に関する。
【背景技術】
【０００２】
従来から、装飾の施されたパネル部材を収容するパネル収容部材を備えた扉体と、扉体によって閉鎖可能な開口部を有する箱体と、扉体が開口部を閉鎖したときに扉体と箱体とで囲まれた内部空間に収容され遊技の進行を制御する遊技制御手段と、を有する遊技機が知られている。この遊技機は、パネル部材を特殊な構造（タグ付き）にすることで、パネル収容部材に収容されているパネル部材のパネル収容部材からの取り外しを容易にしている（下記特許文献１参照）。
【特許文献１】特開２００５−２１８７６５号公報
【発明の開示】
【発明が解決しようとする課題】
【０００３】
ところで、上記遊技機は、特殊な構造（タグ付き）を設けていない一般的なパネル部材をパネル収容部材から取り出すことが困難になる。具体的には、一般的な形状のパネル部材をパネル収容部材にスライドして挿入した後、新たな別のパネル部材と交換するときに、この交換作業が困難になる。
【０００４】
そこで、本発明は、パネル部材に特殊な構造を施すことなく、パネル部材をパネル収容部材から容易に取り出すことができる遊技機及びそのパネル部材排出方法を提供することを目的とする。
【課題を解決するための手段】
【０００５】
請求項１に記載の発明は、パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機であって、前記パネル収容部材は、内部に前記パネル部材を収容するパネル収容部材本体と、前記扉体の裏面側に設けられ、前記パネル部材を前記パネル収容部材本体の内部に収容するときに前記パネル部材が挿通する第１挿通部と、前記扉体の裏面側に設けられ、前記パネル収容部材本体の内部に収容された前記パネル部材を取り出すときに前記パネル部材が挿通する第２挿通部と、前記パネル収容部材本体内部の前記パネル部材を前記第２挿通部から排出する排出部材と、を有することを特徴とする。ここで、遊技部材としては、投入された遊技媒体を内部に導くための通路部材（所謂メダルセレクタやコインシュータ等）や各種制御基板等が挙げられる。
【０００６】
請求項１に記載の発明によれば、パネル部材は、第１挿通部を挿通した後、パネル収容部材本体に収容される。そして、パネル収容部材本体内部のパネル部材は、排出部材により第２挿通部側に排出され、第２挿通部を挿通してパネル収容部材の外部に取り出される。このように、パネル部材を排出する排出部材を備えたことにより、パネル部材自体に特殊な構造を施すことなく、パネル部材を容易に外部に排出することができる。この結果、パネル部材を容易に交換することができる。
【０００７】
請求項２に記載の発明は、請求項１に記載の遊技機において、前記第１挿通部に挿通される前記パネル部材を検知する検知手段と、前記排出部材を駆動制御する制御手段と、を有し、前記制御手段は、前記検知手段で前記パネル部材を検知した検知結果に基づいて前記排出部材を駆動し、前記パネル収容部材本体内部に位置する前記パネル部材を前記第２挿通部から排出することを特徴とする。
【０００８】
請求項２に記載の発明によれば、別（新たな）のパネル部材が第１挿通部に挿通されると、検知手段により別のパネル部材が検知される。そして、検知手段からの検知結果に基づいて、排出部材が制御手段により駆動される。排出部材が駆動すると、パネル収容部材本体内部に既に位置しているパネル部材が第２挿通部側に排出され、第２挿通部を通過してパネル収容部材の外部に移動する。このように、検知手段により別のパネル部材が検知されたことに起因して、既にパネル収容部材本体に収容されているパネル部材を駆動制御にて排出することができるため、パネル部材の交換作業の作業効率を高めることができる。
【０００９】
請求項３の発明は、請求項２に記載の遊技機において、前記排出部材は、回転駆動することにより前記パネル収容部材本体内部の前記パネル部材に圧力を作用させる複数のローラ部材で構成されており、各々の前記ローラ部材から前記パネル収容部材本体内部の前記パネル部材に作用する圧力が略同じ圧力となるように、前記回転駆動が前記制御手段により制御されることを特徴とする。
【００１０】
請求項３の発明によれば、各々のローラ部材からパネル収容部材本体内部のパネル部材に作用する圧力が略同じ圧力となるように、ローラ部材の回転駆動が制御手段により制御される。このように、複数のローラ部材からパネル部材に対して作用する圧力を均等にすることにより、パネル収容部材本体に収容されたパネル材の姿勢を崩すことなく、パネル部材を第２挿通部から排出させることができる。この結果、パネル部材の排出方向がずれてしまうことを防止でき、パネル部材を第２挿通部から容易かつ円滑に排出することができる。
【００１１】
請求項４の発明は、請求項１又は２に記載の遊技機において、前記排出部材は、前記パネル収容部材本体に中心軸の軸回りに回転可能に設けられたバランス調整部材であり、前記バランス調整部材は、前記バランス調整部材の軸方向一方側端部に前記パネル部材が載せられた状態で、軸方向他方側端部に作用した圧力により前記中心軸の軸回りに回転することにより、前記軸方向一方側端部に載せられた前記パネル部材を前記第１挿通部又は前記第２挿通部から排出することを特徴とする。
【００１２】
請求項４の発明によれば、バランス調整部材は、バランス調整部材の軸方向一方側端部にパネル部材が載せられた状態で、軸方向他方側端部に作用した圧力により中心軸の軸回りに回転することにより、軸方向一方側端部に載せられたパネル部材を第１挿通部又は第２挿通部から排出する。これにより、軸方向他方側端部に圧力を作用させることをパネル収容部材本体に新しいパネル部材を収容することで実現すると、パネル収容部材本体に収容された古いパネル部材の取出作業と、新しいパネル部材のパネル収容部材本体への挿入作業とを同時に実行することができる。この結果、パネル部材の交換作業の作業効率を上げることができる。
【００１３】
請求項５の発明は、請求項１乃至４のいずれか１項に記載の遊技機において、前記扉体に、前記第２挿通部を挿通した前記パネル部材を受け止める受止部材を設けたことを特徴とする。
【００１４】
請求項５の発明によれば、扉体には第２挿通部を挿通したパネル部材を受け止める受止部材が設けられているため、パネル部材が地面又は床面に落下することを防止できる。これにより、パネル部材を汚すことなく、効率良く回収することができる。
【００１５】
請求項６の発明は、請求項１乃至５のいずれか１項に記載の遊技機において、前記第１挿通部は、前記パネル収容部材の前記第２挿通部よりも重力作用方向上流側に形成された上側開口部であり、前記第２挿通部は、前記パネル収容部材の前記第１挿通部よりも重力作用方向下流側に形成された下側開口部であることを特徴とする。
【００１６】
請求項６の発明によれば、第１挿通部は、パネル収容部材の第２挿通部よりも重力作用方向上流側に形成された上側開口部であり、第２挿通部は、パネル収容部材の第１挿通部よりも重力作用方向下流側に形成された下側開口部である。これにより、パネル収容部材に収容されたパネル部材を第２挿通部から取り出すときには、パネル部材が重力の作用を受けて自由落下するため、パネル部材を容易に取り出すことができる。
【００１７】
請求項７の発明は、請求項１乃至６のいずれか１項に記載の遊技機において、前記扉体の裏面側に、前記遊技部材が取り付けられる中板部材を前記扉体に対して開閉可能となるように設け、前記中板部材を前記扉体に対して開放することで、前記第１挿通部及び前記第２挿通部が露呈されることを特徴とする。
【００１８】
請求項７の発明によれば、遊技部材が設けられた中板部材を扉体の裏面側に開閉可能に設けたことで、パネル部材が挿通する第１挿通部と第２挿通部を扉体により覆うことができる。これにより、第１挿通部と第２挿通部から異物（埃やチリ等）が混入することを防ぐことができ、パネル部材を清潔な状態に保つことができる。また、パネル部材の挿入作業と取出作業（パネル部材の交換作業）を行う際に、従来、扉体の裏面側に固定されていた遊技部材を取り外す手間を省くことができる。この結果、パネル部材の交換作業が容易になる。
【００１９】
請求項８の発明は、パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機のパネル部材排出方法であって、前記パネル収容部材は、内部に前記パネル部材を収容するパネル収容部材本体と、前記扉体の裏面側に設けられ、前記パネル部材を前記パネル収容部材本体の内部に収容するときに前記パネル部材が挿通する第１挿通部と、前記扉体の裏面側に設けられ、前記パネル収容部材本体の内部に収容された前記パネル部材を取り出すときに前記パネル部材が挿通する第２挿通部と、を有し、前記パネル収容部材本体に第１の前記パネル部材が収容されている状態で第２の前記パネル部材を前記第１挿通部から挿通し、第２の前記パネル部材から前記パネル収容部材本体に収容されている第１の前記パネル部材に対して圧力を作用させることにより、前記パネル収容部材本体に収容されている第１の前記パネル部材を前記第２挿通部から排出させることを特徴とする。
【００２０】
請求項８の発明によれば、パネル収容部材本体に第１のパネル部材が収容されている状態で第２のパネル部材を第１挿通部から挿通し、第２のパネル部材からパネル収容部材本体に収容されている第１のパネル部材に対して圧力を作用させることにより、パネル収容部材本体に収容されている第１のパネル部材が第２挿通部から排出される。これにより、第２のパネル部材をパネル収容部材本体に挿入するだけで、第１のパネル部材を取り出すことができるため、新しいパネル部材の挿入作業と、古いパネル部材の取出作業を同時に実行することができ、パネル部材を容易に交換することができる。
【発明を実施するための最良の形態】
【００２１】
次に、本発明の第１実施形態に係る遊技機及びそのパネル部材排出方法について、図面を参照して説明する。なお、本実施形態では、本発明を遊技機の一例であるスロットマシンに適用した構成を説明する。
【００２２】
図１及び図２に示すように、スロットマシン１０は、箱状に形成された箱体１２と、箱体１２の前面側に形成された開口部Ｍを閉鎖可能に設けられた前面扉（扉体）１４と、遊技メダルを貸し出すためのメダル貸出装置１６と、を備えている。なお、箱体１２と前面扉１４とで、スロットマシン１０の筐体が構成されている。
【００２３】
前面扉１４は、遊技の進行に応じた演出が行われる上段の領域１４Ａと、遊技メダルが払い出される下段の領域１４Ｂと、遊技が行われる中段の領域１４Ｃの大きく３つの領域から構成されており、更に中段の領域１４Ｃは、遊技の状態を表示するための遊技状態表示部１８と、遊技を行うための操作部２０と、から構成されている。
【００２４】
上段の領域１４Ａには、中央に演出表示装置２２が設けられている。また、この演出表示装置２２の左右には、スピーカ２４がそれぞれ設けられている。また、演出表示装置２２及びスピーカ２４の上方には、各種のランプ類２６が設けられている。演出表示装置２２は、いわゆる液晶表示装置によって構成されており、遊技の進行状況に合わせて種々の図柄を表示して演出を行うことが可能となっている。
【００２５】
また、前面扉１４の中段に設けられた遊技状態表示部１８の中央には、大きな表示窓２８が設けられており、内部に設けられた３つの回胴３０Ａ、３０Ｂ、３０Ｃが回転する様子を外部から視認することができるようになっている。また、表示窓２８の左右及び下方には、遊技の状態を表示する各種の表示パネル類３２がそれぞれ設けられている。
【００２６】
また、前面扉１４の中段下方に設けられた操作部２０は手前に向かって突出した形状に形成されており、その上面には遊技メダルを投入するための遊技メダル投入口３４と、クレジットとして貯留されている遊技メダルを１枚だけ投入するための一枚投入ボタン３６と、貯留されている遊技メダルを３枚投入するための三枚投入ボタン３７などが設けられている。なお、遊技メダルの貯留とは、遊技メダルを実際に払い出す代わりにメダルの枚数を記憶しておくことをいう。また、操作部２０の前面には、遊技メダルの投入後に回胴３０Ａ、３０Ｂ、３０Ｃの回転を開始するためのスタートレバー３８と、３つの回胴３０Ａ、３０Ｂ、３０Ｃの回転をそれぞれ停止させるための回胴停止ボタン４０Ａ、４０Ｂ、４０Ｃなどが設けられている。また、操作部２０の上面には精算ボタン４２が設けられ、前面には返却ボタン４４が設けられている。ここで、精算ボタン４２とは、遊技機１０の内部に貯留されている遊技メダルを外部に排出する際に操作するボタンである。また、返却ボタン４４とは、投入した遊技メダルが遊技機１０の内部で詰まった場合に、メダルの詰まりを解消するために操作されるボタンである。
【００２７】
また、前面扉１４の下段の領域１４Ｂには、パネル部材Ｐを収容するパネル収容部材１１０と、遊技メダルが排出される遊技メダル排出口４６と、排出された遊技メダルを受け止めるメダル受け皿４８などが設けられている。
【００２８】
ここで、パネル収容部材１１０の構成について詳細に説明する。
【００２９】
図２乃至図６に示すように、パネル収容部材１１０は、パネル部材Ｐを収容しかつ保持するためのものである。パネル部材Ｐは、厚さ０．５ｍｍのフイルムで構成されている。このパネル部材Ｐの表面には、スロットマシン１０に関するキャラクタなどの写真や絵が付されており、スロットマシン１０の宣伝（タイトル等）や遊技内容などを示唆する装飾物として機能している。
【００３０】
パネル収容部材１１０は、主として、内部にパネル部材Ｐを収容可能な収容空間部（後述する第１収容空間部１２０と第２収容空間部１２２）を有して構成されたパネル収容部材本体１１２と、パネル収容部材本体１１２内の収容空間部の上側端部に接続する上側開口部（第１挿通部）１１４Ａ、１１４Ｂと、パネル収容部材本体１１２内の収容空間部の下側端部に接続する下側開口部（第２挿通部）１１６Ａ、１１６Ｂと、で構成されている。また、パネル収容部材本体１１２には、前面側に無色透明の樹脂で構成された透明板１１３が形成されている。
【００３１】
図５に示すように、パネル収容部材本体１１２は、内部にパネル部材Ｐを収容可能な第１収容空間部１２０と、第１収容空間部１２０の前方に形成され第１収容空間部１２０と同様にパネル部材Ｐを収容可能な第２収容空間部１２２と、を備えている。第１収容空間部１２０と第２収容空間部１２２の間には、透過性を有する仕切板１１５が設けられており、上側開口部１１４Ａから挿入されたパネル部材Ｐは、第１収容空間部１２０に収容され、下側開口部１１６Ａから排出可能になる。また、上側開口部１１４Ｂから挿入されたパネル部材Ｐは、第２収容空間部１２２に収容され、下側開口部１１６Ｂから排出可能になる。また、第１収容空間部１２０と第２収容空間部１２２の容積は、パネル部材Ｐを収容可能となるような寸法に設定されている。
【００３２】
ここで、図７に示すように、第１収容空間部１２０及び第２収容空間部１２２の厚み寸法（スロットマシン１０の前後方向にわたる寸法）Ｔ１は、パネル部材Ｐの厚み寸法Ｔ２と同じか、あるいは若干大きくなるように設定されている。このため、パネル部材Ｐが第１収容空間部１２０及び第２収容空間部１２２に収容されるときには、パネル部材Ｐの表面Ｐ１及び裏面Ｐ２が第１収容空間部１２０及び第２収容空間部１２２の内側面１２０Ａ、１２０Ｂ、１２２Ａ、１２２Ｂと接触し、パネル部材Ｐの表面Ｐ１及び裏面Ｐ２には所定の摩擦力が作用する。そして、パネル部材Ｐは、第１収容空間部１２０及び第２収容空間部１２２の内側面１２０Ａ、１２０Ｂ、１２２Ａ、１２２Ｂと接触し所定の摩擦力を受けた状態で、第１収容空間部１２０及び第２収容空間部１２２に収容された状態になる。この結果、第１収容空間部１２０及び第２収容空間部１２２においてパネル部材Ｐを支持するための支持部材などを設ける必要が無く、パネル部材Ｐを第１収容空間部１２０及び第２収容空間部１２２において位置決めすることができる。
【００３３】
図５及び図６に示すように、パネル収容部材本体１１２の上端部には、パネル収容部材本体１１２と上側開口部１１４Ａ、１１４Ｂとを連通させる上側誘導部１２４Ａ、１２４Ｂがそれぞれ形成されている。この上側誘導部１２４Ａ、１２４Ｂは、パネル部材Ｐを円滑に挿入するために滑らかな湾曲を有した形状とされており、パネル収容部材本体１１２に一体形成されている。
【００３４】
パネル収容部材本体１１２の下端部には、パネル収容部材本体１１２と下側開口部１１６Ａ、１１６Ｂとを連通させる下側誘導部１２６Ａ、１２６Ｂがそれぞれ形成されている。この下側誘導部１２６Ａ、１２６Ｂは、パネル部材Ｐを円滑に排出するために滑らかな湾曲を有した形状とされており、パネル収容部材本体１１２に一体形成されている。
【００３５】
上側開口部１１４Ａ、１１４Ｂは、前面扉１４の裏面側１４Ｙに開口するように形成されている。上側開口部１１４Ａ、１１４Ｂの各寸法は、パネル部材Ｐの寸法に対応して、パネル部材Ｐが円滑に挿入できる程度の寸法に設定されている。この上側開口部１１４Ａ、１１４Ｂは、パネル収容部材本体１１２の重力作用方向上流側に形成されている。
【００３６】
下側開口部１１６Ａ、１１６Ｂは、前面扉１４の裏面側１４Ｙであって上側開口部１１４Ａ、１１４Ｂの下方の部位に開口するように形成されている。下側開口部１１６Ａ、１１６Ｂの各寸法は、パネル部材Ｐの寸法に対応して、パネル部材Ｐが円滑に挿通できる程度の寸法に設定されている。この下側開口部１１６Ａ、１１６Ｂは、パネル収容部材本体１１２の重力作用方向下流側に形成されている。このため、下側開口部１１６Ａ、１１６Ｂの上方には、下側開口部１１６Ａ、１１６Ｂと対応する上側開口部１１４Ａ、１１４Ｂがそれぞれ形成されている構成になる。
【００３７】
なお、上側開口部１１４Ａ、１１４Ｂ及び下側開口部１１６Ａ、１１６Ｂは、前面扉１４の裏面側１４Ｙに形成されている構成に限られるものではなく、例えば、前面扉１４の前面側１４Ｘに形成されていてもよい。また、上側開口部１１４Ａ、１１４Ｂ又は下側開口部１１６Ａ、１１６Ｂの一方が前面扉１４の前面側１４Ｘ又は裏面側１４Ｙの一方に形成され、上側開口部１１４Ａ、１１４Ｂ又は下側開口部１１６Ａ、１１６Ｂの他方が前面扉１４の前面側１４Ｘ又は裏面側１４Ｙの他方に形成されている構成でもよい。
【００３８】
また、前面扉１４の裏面側１４Ｙであって下側開口部１１６Ａ、１１６Ｂのさらに下側近傍の位置には、複数（例えば、２個）の受止部材１３４が取り付けられている。この受止部材１３４は、側面視にてＬ字型に形成されており、下側開口部１１６Ａ、１１６Ｂを通過してきたパネル部材Ｐの下端部を支持しパネル部材Ｐを受け止める機能を有している。このため、パネル部材Ｐを取り出すときには、パネル部材Ｐが重力の作用を受けて自由落下した場合でも、パネル部材Ｐが地面又は床面に落下することを防止できる。
【００３９】
次に、前面扉１４の裏面側１４Ｙ及び箱体１２の内部構成について説明する。
【００４０】
図２に示すように、前面扉１４の裏面側上部には、サブ制御基板ユニット５０が設けられている。また、サブ制御基板ユニット５０の左右にはスピーカ２４がそれぞれ取り付けられている。サブ制御基板ユニット５０は、内部に後述するサブ制御基板（制御手段）５２が格納されており、図１に示した演出表示装置２２や、各種ランプ類２６、スピーカ２４などを用いて行われる各種演出の制御を司っている。
【００４１】
また、前面扉１４に設けられた表示窓２８の裏面側下方には、後述する扉基板５６が格納された扉基板ユニット５４が設けられている。この扉基板ユニット５４の下方には、上記した上側開口部１１４及び下側開口部１１６が形成されている。また、下側開口部１１６の下方には、上述した受止部材１３４が設けられている。
【００４２】
また、前面扉１４の裏面側１４Ｙには、中板部材１５が取り付けられている。この中板部材１５は、前面扉１４の幅方向一方側（本実施形態では、前面扉１４の軸部が設けられている側）を軸にして、前面扉１４に対して独立して開閉可能となるように取り付けられており、前面扉１４の裏面側１４Ｙの一部を閉塞又は開放できるように構成されている。このため、中板部材１５が前面扉１４の裏面側１４Ｙの一部を閉塞している状態では、上側開口部１１４Ａ、１１４Ｂ及び下側開口部１１６Ａ、１１６Ｂが中板部材１５に覆われて、前面扉１４の裏面側から視認不可能（アクセス不可能）になっている。具体的には、中板部材１５は、図示しないフック部材により前面扉１４に固定可能に設けられており、前面扉１４に固定された状態（前面扉１４の裏面側１４Ｙの一部を閉塞している状態）では前面扉１４の開閉動作に連動する。そして、フック部材によるロックを解除した状態の中板部材１５は、前面扉１４に対して独立して開閉可能となる。
【００４３】
また、中板部材１５には、投入された遊技メダルの通路となるメダルセレクタ５８や、遊技メダルを遊技メダル排出口４６（図１参照）に導くためのコインシュータ６０などが取り付けられている。メダルセレクタ５８は、遊技メダル投入口３４から投入された遊技メダルを主に寸法に基づいて選別し、規格寸法に適合した寸法の遊技メダルだけを受け入れる機能を有している。遊技者がスタートレバー３８を操作する前に遊技メダルを投入すると、遊技メダルはメダルセレクタ５８によって選別され、規格を満足しているものだけがホッパー６２内に投入され、規格を満足していないメダルは、コインシュータ６０を通って、遊技メダル排出口４６に返却されるようになっている。これに対して、スタートレバー３８が操作された後に遊技メダルが投入された場合は、メダルセレクタ５８内の通路が切り換わり、投入された遊技メダルは、コインシュータ６０を通って、遊技メダル排出口４６に返却される。また、メダルセレクタ５８の内部には、図示しないメダルセンサが設けられており、寸法規格を満たして受け入れられた遊技メダルはメダルセンサによって検出され、検出信号が後述の主制御基板（遊技制御手段）６４に出力されるようになっている。なお、コインシュータ６０、メダルセレクタ５８は、中板部材１５が前面扉１４に固定されている場合に、前面扉１４に設けられている遊技メダル投入口３４や遊技メダル排出口４６と連通する状態になり、上述した機能を有する。
【００４４】
また、箱体１２の内部の略中央には、３つの回胴３０Ａ、３０Ｂ、３０Ｃがそれぞれ設けられている。各回胴３０Ａ、３０Ｂ、３０Ｃの上方には、遊技全体の制御を司る後述の主制御基板６４が格納された主制御基板ユニット６６と、各回胴３０Ａ、３０Ｂ、３０Ｃを駆動するための後述の回胴基板６８が格納された回胴基板ユニット７０と、が設けられている。また、３つの回胴３０Ａ、３０Ｂ、３０Ｃの下方にはリアスピーカ７２が設けられており、さらにその下方には投入された遊技メダルが集められるホッパー６２と、遊技メダルを払い出すメダル払出装置７４と、遊技機１０全体に電源を供給するための後述の電源基板７６が格納された電源ユニット７８などが設けられている。そして、電源ユニット７８の前面には、遊技機１０の電源を投入するための電源スイッチ８０が設けられている。また、メダル払出装置７４の払出口８２からコインシュータ６０の受入口８５に向けて払い出された遊技メダルは、コインシュータ６０を通って、遊技メダル排出口４６から排出されるようになっている。
【００４５】
次に、遊技機１０の電気的構成について説明する。
【００４６】
図８に示すように、遊技機１０は、主制御基板６４を中心として、サブ制御基板５２、扉基板５６、回胴基板６８、電源基板７６等がデータ通信可能となるように接続されて構成されている。
【００４７】
主制御基板６４は、遊技機１０で行われる遊技全体の進行や演出を司る基板である。この主制御基板６４には、ＣＰＵ、ＲＯＭ、ＲＡＭなどがバスによって互いにデータ通信可能に接続されて搭載されている。主制御基板６４は、前面扉１４に搭載された扉基板５６から、スタートレバー３８が操作されたことを示す信号を受け取って、遊技制御処理を実行しながら、サブ制御基板５２、扉基板５６、回胴基板６８などに向かって制御コマンド（あるいは制御信号）を出力することにより、各基板の動作を制御している。
【００４８】
主制御基板６４には、ＣＰＵ、ＲＯＭ、ＲＡＭなどがバスによって互いにデータ通信可能に接続されて搭載されている。主制御基板６４は、スロットマシン１０で実行される遊技の進行を制御する。
【００４９】
また、サブ制御基板５２には、主制御基板６４と同様に、ＣＰＵ、ＲＯＭ、ＲＡＭなどがバスによって互いにデータ通信可能に接続されて搭載されている。また、サブ制御基板５２には、各種ランプ類２６、各種スピーカ２４、７２、演出表示装置２２、回胴バックライト１０２、などが接続されている。ここで、回胴バックライト１０２とは、各回胴３０Ａ、３０Ｂ、３０Ｃの内部に設けられ、回胴３０Ａ、３０Ｂ、３０Ｃの表面に描かれた図柄を裏側から照らすライトである。サブ制御基板５２は、主制御基板６４から受け取った制御コマンドを解析して、各種ランプ類２６、各種スピーカ２４、７２、演出表示装置２２、回胴バックライト１０２、にそれぞれ駆動信号を出力することにより、これらを用いた各種演出を行っている。
【００５０】
また、扉基板５６には、メダルセレクタ５８、貯留されている遊技メダルを投入するための各種投入ボタン３６、３７、回胴３０Ａ、３０Ｂ、３０Ｃの回転を開始するためのスタートレバー３８、回転している回胴３０Ａ、３０Ｂ、３０Ｃを停止するための回胴停止ボタン４０Ａ、４０Ｂ、４０Ｃ、貯留されている遊技メダルや投入された遊技メダルを払い出して遊技を終了するための精算ボタン４２、遊技の状態を表示するため各種の表示パネル３２などが接続されている。まて、扉基板５６は、主制御基板６４とデータ通信可能に接続されている。このため、前面扉１４に設けられたスタートレバー３８、回胴停止ボタン４０Ａ、４０Ｂ、４０Ｃ、各種の投入ボタン３６、３７、精算ボタン４２などを操作すると、扉基板５６を介して、その信号を主制御基板６４に供給することが可能となっている。また、メダルセレクタ５８に設けられたメダルセンサの出力も、扉基板５６を介して主制御基板６４に供給されている。
【００５１】
回胴基板６８には、３つの回胴３０Ａ、３０Ｂ、３０Ｃをそれぞれ回転させるための回胴モータ１０４Ａ、１０４Ｂ、１０４Ｃと、それぞれの回胴３０Ａ、３０Ｂ、３０Ｃの回転位置を検出するための回胴センサ１０６Ａ、１０６Ｂ、１０６Ｃが設けられている。回胴基板６８は、回胴センサ１０６Ａ、１０６Ｂ、１０６Ｃによって、各回胴３０Ａ、３０Ｂ、３０Ｃの回転位置を検出しながら、回胴モータ１０４Ａ、１０４Ｂ、１０４Ｃを駆動することにより、それぞれの回胴３０Ａ、３０Ｂ、３０Ｃを、所望の回転位置で停止させることが可能となっている。なお、本実施形態の遊技機１０では、回胴モータ１０４Ａ、１０４Ｂ、１０４Ｃには、いわゆるステッピングモータが使用されている。
【００５２】
また、メダル払出装置７４は、中継基板７５を介して、主制御基板６４に接続されている。メダル払出装置７４は、主制御基板６４からの制御信号に基づいて、所定枚数の遊技メダルを払い出す動作を行う。メダル払出装置７４には、遊技メダルが払い出されたことを検知するために、図示しない払出センサが設けられている。遊技メダルが払い出されると、払出センサで検知して、信号が主制御基板６４に出力される。
【００５３】
また、これら各種制御基板及び基板で消費されたる電力は、電源基板７６から供給されている。電源基板７６には、１００Ｖの交流電圧が供給されており、この電力を規定電圧に変換した後、それぞれの制御基板及び基板に供給している。また、電源基板７６には、電源スイッチ８０が接続されている。なお、図８では、電源基板７６から電力が供給される様子を破線の矢印で表している。
【００５４】
次に、本発明の第１実施形態に係るスロットマシン１０の作用及び効果について説明する。
【００５５】
図２に示すように、スロットマシン１０の前面扉１４にあるパネル収容部材１１０にパネル部材Ｐを収容するときには、前面扉１４が箱体１２から開けられ、かつ中板部材１５が前面扉１４の裏面側１４Ｙから開けられた状態にする。
【００５６】
図５に示すように、中板部材１５が前面扉１４の裏面側１４Ｙから開けられた状態では、上側開口部１１４Ａ、１１４Ｂが露出するため、パネル部材Ｐを上側開口部１１４Ａ、１１４Ｂのいずれかに挿入することができる。これにより、パネル部材Ｐは、上側開口部１１４Ａ、１１４Ｂに対応する上側誘導部１２４Ａ、１２４Ｂを通過して、第１収容空間部１２０又は第２収容空間部１２２に移動する。
【００５７】
ここで、図７に示すように、パネル部材Ｐが上側誘導部１２４Ａ、１２４Ｂを経て第１収容空間部１２０側及び第２収容空間部１２２側に移動していく際には、パネル部材Ｐの表面Ｐ１及び裏面Ｐ２には、第１収容空間部１２０及び第２収容空間部１２２の内側面１２０Ａ、１２０Ｂ、１２２Ａ、１２２Ｂから所定の摩擦力が作用する。このため、パネル部材Ｐに作用する力学関係（空気抵抗力を除く）は、重力下流方向側に向かう重力と、重力上流方向側に向かう摩擦力と、が互いに反対方向に作用することになる。このような力学関係の下で、パネル部材Ｐは、第１収容空間部１２０及び第２収容空間部１２２の内部を下方に移動していき、パネル部材Ｐが鉛直方向に伸びた所定の部位で、パネル部材Ｐが停止して、第１収容空間部１２０及び第２収容空間部１２２の内部で保持される。これにより、パネル部材Ｐがパネル収容部材本体１１２に収容され、かつ第１収容空間部１２０及び第２収容空間部１２２の内部に位置した状態になる。このとき、パネル部材Ｐの表面及び裏面には、第１収容空間部１２０及び第２収容空間部１２２の内側面１２０Ａ、１２０Ｂ、１２２Ａ、１２２Ｂから所定の摩擦力が常に作用しているため、パネル部材Ｐは第１収容空間部１２０及び第２収容空間部１２２に安定して保持された状態になっている。
【００５８】
パネル部材Ｐが第１収容空間部１２０及び第２収容空間部１２２に完全に収容された状態では、パネル部材Ｐはスロットマシン１０の前方から視認できる。これにより、パネル部材Ｐの表面に施された装飾がパネル収容部材本体１１２の透明板１１３を透過することにより、遊技者に確認される。なお、第１収容空間部１２０の前方に第２収容空間部１２２が位置しているが、第１収容空間部１２０と第２収容空間部１２２との間の仕切板１１５は無色透明な樹脂で構成されているため、第１収容空間部１２０内部のパネル部材Ｐの表面装飾は透過して視認可能となる。
【００５９】
次に、図６に示すように、例えば、パネル収容部材本体１１２の第１収容空間部１２０に収容された古いパネル部材（前のパネル部材）Ｐを別の新しいパネル部材（次のパネル部材）Ｐ’と交換するときには、新しいパネル部材Ｐ’を上側開口部１１４Ａから挿入する。これにより、新しいパネル部材Ｐ’は、同様にして、上側誘導部１２４Ａを移動していく。
【００６０】
新しいパネル部材Ｐ’が上側誘導部１２４Ａの内部を移動していくと、やがて新しいパネル部材Ｐ’の下端部が古いパネル部材Ｐの上端部に接触する。さらに、新しいパネル部材Ｐ’が下方に移動すると、古いパネル部材Ｐは新しいパネル部材Ｐ’から所定の圧力を受け、新しいパネル部材Ｐ’に押されるようにして、下側誘導部１２６Ａに移動する。下側誘導部１２６Ａに移動する古いパネル部材Ｐには、自身の重力と新しいパネル部材Ｐ’からの圧力とが重力作用方向下流側に向かって作用するとともに、第１収容空間部１２０の内側面１２０Ａ、１２０Ｂからの摩擦力が重力作用方向上流側に向かって作用する。しかし、前者の力が後者の力よりも大きくなるため、古いパネル部材Ｐは、下側誘導部１２６Ａに向かって移動する。そして、古いパネル部材Ｐは、下側誘導部１２６Ａを通って対応する下側開口部１１６Ａから排出される。
【００６１】
ここで、古いパネル部材Ｐが下側開口部１１６から排出されると、古いパネル部材Ｐは重力の作用を受けて下方に落下していくが、やがて古いパネル部材Ｐは、受止部材１３４により保持される。これにより、パネル部材Ｐを地面や床面に落下させることなく（周囲に散乱させることなく）、容易に回収することができる。
【００６２】
なお、パネル収容部材本体１１２の第２収容空間部１２２に収容された古いパネル部材（前のパネル部材）Ｐを別の新しいパネル部材（次のパネル部材）Ｐ’と交換するときにも同様の作用が実現することになる。
【００６３】
以上のように、第１実施形態によれば、パネル部材Ｐに特殊な細工（例えば、タグ付け）を施すことなく、パネル収容部材本体１１２の第１収容空間部１２０及び第２収容空間部１２２に収容された古いパネル部材Ｐに対して、新しいパネル部材Ｐ’から圧力を作用させることにより、古いパネル部材Ｐを容易に取り出すことができる。特に、下側開口部１１６Ａ、１１６Ｂを重力作用方向下流側に形成することにより、パネル部材Ｐに重力も作用させることができるため、パネル部材Ｐの取出し作業（交換作業）を一層容易なものにすることができる。
【００６４】
また、パネル部材Ｐの挿入及び排出に使用する上側開口部１１４Ａ、１１４Ｂ及び下側開口部１１６Ａ、１１６Ｂが前面扉１４の裏面側１４Ｙに形成されているため、パネル部材Ｐの挿入作業と取出作業（パネル部材Ｐの交換作業）を前面扉１４の裏面側１４Ｙから同時に実行することができる。この結果、パネル部材Ｐを円滑に交換することができる。また同時に、パネル部材Ｐの挿入及び取出（排出）に使用する上側開口部１１４Ａ、１１４Ｂ及び下側開口部１１６Ａ、１１６Ｂが前面扉１４の裏面側１４Ｙに形成されているため、前面扉１４が閉じられたときには、上側開口部１１４Ａ、１１４Ｂ及び下側開口部１１６Ａ、１１６Ｂがスロットマシン１０の内部に隠れることになる。この結果、遊技者などがパネル部材Ｐに対して容易にアクセスすることができなくなり、パネル部材Ｐに対する悪戯行為（不正行為）を防止することができる。
【００６５】
さらに、コインシュータ６０、メダルセレクタ５８等の遊技部材が設けられた中板部材１５を前面扉１４の裏面１４Ｙ側に開閉可能に設けたことで、パネル部材Ｐの挿入作業と取出作業（パネル部材Ｐの交換作業）を前面扉１４の裏面１４Ｙ側から実行するに際して、従来、前面扉１４の裏面１４Ｙ側に固定されていたコインシュータ６０、メダルセレクタ５８等の遊技部材を取り外す手間を省くことができる。この結果、パネル部材Ｐの交換作業が容易に可能となる。
【００６６】
なお、本実施形態の遊技機では、第１収容空間部１２０と第２収容空間部１２２とが設けられていることから、複数枚のパネル部材Ｐを同時に挿入した状態とすることができる。これを利用して、装飾の異なるパネル部材Ｐを第１収容空間部１２０と第２収容空間部１２２にそれぞれ挿入し、２枚のパネル部材によって一体的な装飾模様を形成することができる。具体的には、前面側１４Ｘのパネル部材Ｐ（第２収容空間部１２２に挿入されるパネル部材）の一部の装飾が透過性を有するものとして、裏面側１４Ｙのパネル部材Ｑ（第１収容空間部１２０に挿入されるパネル部材）の装飾を前面扉１４の前面側１４Ｘからパネル部材Ｐの一部を透過して視認可能にする構成とする。このようにすれば、前後のパネル部材（パネル部材Ｐとパネル部材Ｑ）を重ねることで有機的一体性のある装飾を完成させることができ、従来にない斬新なパネル装飾を実現することができる。このような２重のパネル部材Ｐ、Ｑを有するスロットマシン１０としても、前述した本実施形態の構造により、パネル部材Ｐ、Ｑを容易に交換することができる。
【００６７】
次に、本発明の第２実施形態に係るスロットマシンについて説明する。
なお、第１実施形態のスロットマシン１０と重複する構成には、同符号を付し、その説明を適宜省略する。
【００６８】
図９乃至図１２に示すように、第２実施形態に係るスロットマシンは、下側開口部１１６Ａ、１１６Ｂの近傍に、支持部材（排出部材）１２８が駆動可能に設けられている。すなわち、支持部材１２８は、パネル部材Ｐを支持する支持片１３０と、支持片１３０に取り付けられた回転軸１３２と、で構成されている。この回転軸１３２には、駆動モータ１３６が機械的に接続されている。また、駆動モータ１３６の駆動制御は、サブ制御基板５２により実行される。回転軸１３２は、駆動モータ１３６により回転駆動されると、支持片１３０は、回転軸１３２の軸回りに回転する。支持片１３０がパネル部材Ｐを支持するときには、支持片１３０が第１収容空間部１２０及び第２収容空間部１２２側に突出するような姿勢になり、パネル部材Ｐに対する支持を解除するときには、支持片１３０は回転軸１３２から垂下するような姿勢になる。このように、パネル部材Ｐを支持するときには、支持部材１２８は、パネル部材Ｐの下側誘導部１２６Ａ、１２６Ｂへの進入を阻止し、パネル部材Ｐに対する支持を解除するときには、支持部材１２８は、パネル部材Ｐの移動の妨げにならないように退避する。
【００６９】
また、図１２に示すように、上側誘導部１２４Ａ、１２４Ｂの近傍には、光センサ（検知手段）１３８が設けられている。この光センサ１３８は、発光部と受光部とで構成されており、発光部の光を受光部で受光できるか否かによって上側開口部１１４Ａ、１１４Ｂから挿入されてきたパネル部材Ｐを検知する機能を有する。そして、上側開口部１１４Ａ、１１４Ｂから挿入してきたパネル部材Ｐが光センサ１３８により検知されると、光センサ１３８からサブ制御基板５２に対してパネル部材Ｐを検知した旨の検知信号が出力される。サブ制御基板５２は、光センサ１３８からの検知信号を受けて、駆動モータ１３６の駆動を制御する。
【００７０】
なお、第１収容空間部１２０及び第２収容空間部１２２の前後方向の厚み寸法は、パネル部材Ｐの厚み寸法よりも厚くなるように設定されている。これにより、パネル部材Ｐには第１収容空間部１２０及び第２収容空間部１２２から所定の摩擦力が作用することがないので、パネル部材Ｐを自由落下させることができる。
【００７１】
第２実施形態によれば、図９及び図１０に示すように、例えば、第１収容空間部１２０に古いパネル部材Ｐが収容されている状態では、駆動モータ１３６がサブ制御基板５２により制御されて、支持片１３０が第１収容空間部１２０及び第２収容空間部１２２側に突出するように回転軸１３２の回転制御を実行している。支持片１３０が第１収容空間部１２０及び第２収容空間部１２２側に突出した状態では、支持片１３０によりパネル部材Ｐの下端部が支持されて、パネル部材Ｐが位置決めされる。これにより、パネル部材Ｐは、第１収容空間部１２０に安定的に収容された状態になる。
【００７２】
パネル部材Ｐを新しいパネル部材Ｐ’に交換するときには、新しいパネル部材Ｐ’が上側開口部１１４Ａに挿入される。パネル部材Ｐ’が上側誘導部１２４Ａを移動すると、光センサ１３８により検知され、その検知信号がサブ制御基板５２に対して出力される。光センサ１３８からの検知信号がサブ制御基板５２に入力されると、駆動モータ１３６がサブ制御基板５２により駆動される。ここで、図１１に示すように、駆動モータ１３６が駆動すると、回転軸１３２が回転制御され、支持片１３０が回転軸１３２から垂下した状態（第１収容空間部１２０から退避した状態）になる。これにより、古いパネル部材Ｐの下側誘導部１２６Ａへの移動が可能になるため、古いパネル部材Ｐは、自身の重力を受けて、下側誘導部１２６Ａに向かって自由落下する。なお、パネル部材Ｐには第１収容空間部１２２から所定の摩擦力が作用することがないので、パネル部材Ｐは、抵抗力（空気抵抗力を除く）を受けない形で、自由落下する。そして、パネル部材Ｐは、下側開口部１１６Ａから排出される。このように、パネル部材Ｐを支持片１３０で支持することにより第１収容空間部１２０に安定的に収容することができるとともに、パネル部材Ｐの交換時などには、支持片１３０がパネル部材Ｐの落下を干渉しないように移動（退避）させられることにより、パネル部材Ｐを下側開口部１１６Ａから効率良く排出させることができる。特に、パネル部材Ｐには第１収容空間部１２０からの所定の摩擦力が作用しないため、パネル部材Ｐを容易に排出することができる。
【００７３】
なお、例えば、第２収容空間部１２２に古いパネル部材Ｐが収容されており、その古いパネル部材を新しいパネル部材と交換するために、新しいパネル部材を上側開口部１１４Ｂに挿入した場合にも、上記作用効果を得ることができる。
【００７４】
ここで、図１３（Ａ）、（Ｂ）に示すように、パネル部材Ｐの下端部に錘部材１４０を取り付けてもよい。この錘部材１４０は、パネル部材Ｐを挿入するに際して、パネル部材Ｐの下端部に挟み込むことで固定可能となる。そして、錘部材１４０が取り付けられたパネル部材Ｐを上側開口部１１４Ａ，１１４Ｂに挿入する。これにより、パネル部材Ｐには、錘部材１４０の重量の分だけ下向きに大きな重力が余計に作用するため、パネル部材Ｐを下側に移動（落下）させ易くすることができる。
【００７５】
次に、本発明の第３実施形態に係るスロットマシンについて説明する。
なお、第１実施形態のスロットマシン１０と重複する構成には、同符号を付し、その説明を適宜省略する。
【００７６】
図１４及び図１５に示すように、第３実施形態のスロットマシンは、第１収容空間部１２０には、第１収容空間部１２０の延在方向に沿って複数の駆動ローラ（ローラ部材、排出部材）１４２が設けられている。各駆動ローラ１４２は、第１収容空間部１２０に収容されたパネル部材Ｐの裏面側に接触するとともに、パネル部材Ｐを下側開口部１１６Ａから排出させるときには、各駆動ローラ１４２が回転駆動することにより、パネル部材Ｐに対して回転駆動力を与え、パネル部材Ｐを下側誘導部１２６Ａに移動させる機能を有している。また、各駆動ローラ１４２には回転軸がそれぞれ取り付けられており、この回転軸は駆動モータ１３６により回転駆動される。この駆動モータ１３６は、サブ制御基板５２により駆動制御される。なお、各駆動ローラ１４２の径は、全て同じ径となるように設定されている。
【００７７】
また、図１６に示すように、上側誘導部１２４Ａ、１２４Ｂの近傍には、光センサ１３８が設けられている。この光センサ１３８は、発光部と受光部とで構成されており、光部の光を受光部で受光できるか否かによって上側開口部１１４Ａ、１１４Ｂから挿入されてきたパネル部材Ｐを検知する機能を有する。そして、上側開口部１１４Ａ、１１４Ｂから挿入してきたパネル部材Ｐが光センサ１３８により検知されると、光センサ１３８からサブ制御基板５２に対してパネル部材Ｐを検知した旨の検知信号が出力される。サブ制御基板５２は、光センサ１３８からの検知信号を受けて、駆動モータ１３６の駆動を制御する。
【００７８】
なお、図７と同様にして、第１収容空間部１２０及び第２収容空間部１２２の前後方向の厚み寸法は、パネル部材Ｐの厚み寸法と同じか、あるいは若干厚くなるように設定されている。これにより、パネル部材Ｐには第１収容空間部１２０及び第２収容空間部１２２の内側面１２０Ａ、１２０Ｂ、１２２Ａ、１２２Ｂから所定の摩擦力が作用することになるため、パネル部材Ｐを第１収容空間部１２０及び第２収容空間部１２２に保持（収容状態を維持）することができる。
【００７９】
第３実施形態によれば、図１４及び図１５に示すように、例えば、第１収容空間部１２０に収容されたパネル部材Ｐを新しいもの交換するときには、新しいパネル部材Ｐ’が上側開口部１１４Ａに挿入される。パネル部材Ｐ’が上側誘導部１２４Ａを移動すると、光センサ１３８により検知され、その検知信号がサブ制御基板５２に対して出力される。光センサ１３８からの検知信号がサブ制御基板５２に入力されると、駆動モータ１３６がサブ制御基板５２により駆動される。駆動モータ１３６が駆動すると、回転軸が回転制御され、複数の駆動ローラ１４２が回転駆動する。これにより、古いパネル部材Ｐには複数の駆動ローラ１４２から回転駆動力が作用する。そして、古いパネル部材Ｐは、複数の駆動ローラ１４２からの回転駆動力と自身の重力を受けて、第１収容空間部１２０の内側面から作用する摩擦力に対抗する形で、下側誘導部１２６Ａに向かって移動する。そして、パネル部材Ｐが下側開口部１１６Ａから排出される。このように、パネル部材Ｐの交換時などには、複数の駆動ローラ１４２からパネル部材Ｐに対して回転駆動力を作用させることにより、パネル部材Ｐを下側誘導部１２６Ａに移動させ下側開口部１１６Ａから効率良く排出させることができる。特に、複数の駆動ローラ１４２の回転数が同じになるようにサブ制御基板５２で駆動モータ１３６を駆動制御することにより、複数の駆動ローラ１４２からパネル部材Ｐに対して作用する回転駆動力が均等になる。これにより、パネル部材Ｐに作用する各駆動ローラ１４２からの各回転駆動力の大きさにばらつきが生じることを防止でき、第１収容空間部１２０に収容されたパネル部材Ｐの姿勢を崩すことなく、また、パネル部材Ｐにシワを作ることなく、そのままの姿勢でパネル部材Ｐを下側開口部１１６Ａ、１１６Ｂから円滑に排出させることができる。
【００８０】
なお、図１７及び図１８に示すように、第１収容空間部１２０及び第２収容空間部１２２の前後方向の厚み寸法を、パネル部材Ｐの厚み寸法よりも僅かに大きくして、第１収容空間部１２０及び第２収容空間部１２２に収容されたパネル部材Ｐに対して第１収容空間部１２０及び第２収容空間部１２２の内側面から所定の摩擦力が作用しないようにしてもよい。これにより、パネル部材Ｐに摩擦力が作用しない分だけ、パネル部材の重力上流側に向かって作用する力が少なくなるため、パネル部材Ｐを下側誘導部１２６Ａに導き易くすることができる。また、この場合には、前面扉１４の裏面側１４Ｙからピン部材（排出部材）１４８を装着する必要がある。このピン部材１４８は、前面扉１４の裏面側１４Ｙに装着されると、その一部が第１収容空間部１２０及び第２収容空間部１２２側に突出するため、パネル部材Ｐを支持することができる。そして、パネル部材Ｐを取り出すときには、ピン部材１４８を前面扉１４の裏面側１４Ｙから取り外すことにより、ピン部材１４８のパネル部材Ｐに対する支持が解除され、かつ第１収容空間部１２０のパネル部材Ｐの進路を遮るものがなくなることから、パネル部材Ｐを下側開口部１１６Ａに導いて容易に排出させることができる。
【００８１】
次に、本発明の第４実施形態に係るスロットマシンについて説明する。
なお、第１実施形態のスロットマシン１０と重複する構成には、同符号を付し、その説明を適宜省略する。
【００８２】
図１９乃至図２１に示すように、第４実施形態のスロットマシンは、第１収容空間部１２０及び第２収容空間部１２２の底部には、バランス調整部材（排出部材）１５０が設けられている。このバランス調整部材１５０は、長板部材１５２と、長板部材１５２の中心に取り付けられた回転軸１５４と、で構成されている。長板部材１５２の軸方向一方側端部１５２Ａは、第１収容空間部１２０側に位置しており、また、その軸方向他方側端部１５２Ｂは、第２収容空間部１２２側に位置している。また、回転軸１５４は、駆動モータ１３６により回転駆動されるように構成されている。なお、図２２に示すように、駆動モータ１３６は、サブ制御基板５２により駆動制御される。また、長板部材１５２の一方の端部（軸方向一方側端部１５２Ａ又は軸方向他方側端部１５２Ｂ）が最上位に位置するときは（図２０、図２１の状態）、その端部上に載っているパネル部材Ｐの上端部が上側開口部１１４Ａ又は１１４Ｂから飛び出す構成とされている。
【００８３】
また、図２２に示すように、上側誘導部１２４Ａ、１２４Ｂの近傍には、光センサ１３８が設けられている。この光センサ１３８は、発光部と受光部とで構成されており、上側開口部１１４Ａ、１１４Ｂから挿入されてきたパネル部材Ｐを検知する機能を有する。そして、上側開口部１１４Ａ、１１４Ｂから挿入してきたパネル部材Ｐが光センサ１３８により検知されると、光センサ１３８からサブ制御基板５２に対してパネル部材Ｐを検知した旨の検知信号が出力される。サブ制御基板５２は、光センサ１３８からの検知信号を受けて、駆動モータ１３６の駆動を制御する。
【００８４】
また、前面扉１４の裏面側１４Ｙには、下側誘導部及び下側開口部が形成されておらず、第１収容空間部１２０及び第２収容空間部１２２に収容されるパネル部材Ｐは、上側開口部１１４Ａ、１１４Ｂから挿入され、かつ上側開口部１１４Ａ、１１４Ｂから排出される構成になっている。
【００８５】
なお、第１収容空間部１２０及び第２収容空間部１２２の前後方向の厚み寸法は、パネル部材Ｐの厚み寸法よりも厚くなるように設定されている。これにより、パネル部材Ｐには第１収容空間部１２０及び第２収容空間部１２２から所定の摩擦力が作用することがないので、第１収容空間部１２０及び第２収容空間部１２２におけるパネル部材Ｐの移動が円滑になる。
【００８６】
第４実施形態によれば、図１９乃至図２１に示すように、例えば、第２収容空間部１２２に既に古いパネル部材Ｐが収容されている状態では、長板部材１５２の軸方向他方側端部１５２Ｂが下側に下がり、軸方向一方側端部１５２Ａが上側に上がった状態になる（図１９参照）。そして、第１収容空間部１２０に収容するための新しいパネル部材Ｐ’が上側開口部１１４Ａに挿入され、パネル部材Ｐ’が上側誘導部１２４Ａを移動すると、光センサ１３８によりパネル部材Ｐ’が検知され、その検知信号がサブ制御基板５２に対して出力される。光センサ１３８からの検知信号がサブ制御基板５２に入力されると、駆動モータ１３６がサブ制御基板５２により駆動される。駆動モータ１３６が駆動すると、回転軸１５４が回転制御され、バランス調整部材１５０は、長板部材１５２の軸方向一方側端部１５２Ａが下側に下がり、軸方向他方側端部１５２Ｂが上側に上がるように、作動する（図２１参照）。このため、第１収容空間部１２０に新しいパネル部材Ｐ’が完全に収容されるとともに、第２収容空間部１２２に収容されていた古いパネル部材Ｐが長板部材１５２の軸方向他方側端部１５２Ｂに押し上げられるようにして第２収容空間部１２２内部を上方に移動する。第２収容空間部１２２を上方に移動した古いパネル部材Ｐは、上側誘導部１２４Ｂを通過して、その一部が上側開口部１１４Ｂから飛び出すことになる。古いパネル部材Ｐの一部が上側開口部１１４Ｂから飛び出すと（露出すると）、その一部を把持して引っ張り出すことにより、古いパネル部材Ｐを取り出すことができる。
【００８７】
なお、第１収容空間部１２０に古いパネル部材Ｐが収容された状態で、第２収容空間部１２２に新しいパネル部材Ｐ’を収容するときにも、同様の作用になる。このように、バランス調整部材１５０の作動により、新しいパネル部材Ｐ’をパネル収容部材本体１１２の内部に収容することができると同時に、古いパネル部材Ｐをパネル収容部材本体１１２の内部から取り出すことができる。この結果、パネル部材Ｐの交換作業の作業効率を高めることができる。
【００８８】
また、バランス調整部材１５０については、上述した構成に限らず、第１収容空間部１２０に古いパネル部材Ｐが収容された状態で第２収容空間部１２２に新しいパネル部材Ｐ’が収容されることで、第１収容空間部１２０内の古いパネル部材Ｐの上端部が上側開口部１１４Ｂから飛び出す（排出される）構成であればどのようなものでも良い。例えば、第４実施形態の駆動モータ１３６を備えていない構成で、新しいパネル部材Ｐ’の自重によりバランス調整部材１５０が可動する構成でもよい。
【００８９】
次に、本発明の第５実施形態に係るスロットマシンについて説明する。
なお、第１実施形態のスロットマシン１０と重複する構成には、同符号を付し、その説明を適宜省略する。
【００９０】
図２３乃至図２５に示すように、第５実施形態のスロットマシンは、第１収容空間部１２０及び第２収容空間部１２２の底部に、第４実施形態のバランス調整部材１５０に替えて、方向変換ローラ（排出部材）１５６を設けた構成である。この方向変換ローラ１５６は、パネル部材Ｐを繰り出すためのローラ部材１５８と、ローラ部材１５８に取り付けられた回転軸１６０と、で構成されている。この回転軸１６０は、駆動モータ１３６により回転駆動される。また、駆動モータ１３６は、サブ制御基板５２により駆動制御される。この方向変換ローラ１５６は、第１収容空間部１２０又は第２収容空間部１２２に収容されたパネル部材Ｐに回転駆動力を作用させ、第１収容空間部１２０又は第２収容空間部１２２の一方側のパネル部材Ｐを他方側に移動させるためのものである。
【００９１】
さらに、第１収容空間部１２０及び第２収容空間部１２２には、複数の駆動ローラ（ローラ部材、排出部材）１４２Ａ、１４２Ｂが設けられている。駆動ローラ１４２Ａは、第１収容空間部１２０の延在方向に沿って配置されており、駆動ローラ１４２Ｂは、第２収容空間部１２２の延在方向に沿って配置されている。各駆動ローラ１４２Ａ、１４２Ｂには、回転軸１６２が取り付けられている。この回転軸１６２は、駆動モータ１３６により回転駆動される。また、駆動モータ１３６は、サブ制御基板５２により駆動制御される。この駆動ローラ１４２Ａ、１４２Ｂは、第１収容空間部１２０又は第２収容空間部１２２に収容されたパネル部材Ｐに対して回転駆動力を作用させ、パネル部材Ｐを上側開口部１１４Ａ、１１４Ｂに導くためのものである。また、駆動ローラ１４２Ａ、１４２Ｂは、第１収容空間部１２０又は第２収容空間部１２２を移動するパネル部材Ｐに対して、排出時とは逆回転の回転駆動力を作用させて、第１収容空間部１２０又は第２収容空間部１２２の内部に収容するためのものである。この駆動ローラ１４２Ａ、１４２Ｂの数は特に定められていないが、各駆動ローラ間の距離が近い程パネル部材を円滑に移動させ易いので、できるだけ密接して設けることが好ましい。
【００９２】
また、第５実施形態の駆動ローラ１４２は、第３実施形態と同様に回転数が同じになるようにサブ制御基板５２で駆動モータ１３６を駆動制御するようにしてもよい。これにより、複数の駆動ローラ１４２からパネル部材Ｐに対して作用する回転駆動力が均等になり、パネル部材Ｐに作用する各駆動ローラ１４２からの各回転駆動力の大きさにばらつきが生じることを防止でき、パネル部材Ｐにシワを作ることなく、そのままの姿勢でパネル部材Ｐを円滑に排出させることができる。
【００９３】
なお、第１収容空間部１２０と第２収容空間部１２２とは、底部で接続されている。このため、第１収容空間部１２０と第２収容空間部１２２とは連通し、１つの収容空間部を形成している。
【００９４】
第５実施形態によれば、図２３及び図２４に示すように、例えば、第２収容空間部１２２に収容されている古いパネル部材Ｐを取り出して第１収容空間部１２２に新しいパネル部材（図示省略）を収容する場合には、新しいパネル部材の上側開口部１１４Ｂからの挿入に伴い、光センサ１３８からの検知信号がサブ制御基板５２に対して出力される。これにより、駆動モータ１３６が回転駆動される。駆動モータ１３６が回転駆動すると、第２収容空間部１２２に収容されている古いパネル部材Ｐは、第２収容空間部１２２側に配置された駆動ローラ１４２Ｂ及び方向変換ローラ１５６からの回転駆動力を受けて、あたかもＵターンするようにして、第２収容空間部１２２から第１収容空間部１２０側に移動する。そして、古いパネル部材Ｐは、第１収容空間部１２０側に配置された駆動ローラ１４２Ａ及び方向変換ローラ１５６からの回転駆動力を受けて、上側誘導部１２４Ａ及び上側開口部１１４Ａ側に移動して、上側開口部１１４から排出される。
【００９５】
なお、第１収容空間部１２０に収容されている古いパネル部材Ｐを取り出す場合には、各駆動ローラ１４２Ａ、１４２Ｂ及び方向変換ローラ１５６の駆動によって第２収容空間部１２２側にＵターンするように移動させる。そして、Ｕターンした古いパネル部材Ｐを、上側誘導部１２４Ｂ及び上側開口部１１４Ｂに移動させ、上側開口部１１４Ｂから排出させることができる。
【００９６】
次に、本発明の第６実施形態に係るスロットマシンについて説明する。
なお、第１実施形態のスロットマシン１０と重複する構成には、同符号を付し、その説明を適宜省略する。
【００９７】
図２６に示すように、第６実施形態のスロットマシンは、上側開口部１１４と下側開口部１１６に替えて、前面扉１４の裏面側１４Ｙの左右両側に左側開口部（第１挿通部）１４４と右側開口部（第２挿通部）１４６が形成されて構成されている。また、パネル収容部材１１２の内部に左右方向に貫通した収容空間部を形成し、左側開口部１４４からパネル部材Ｐを挿入して右側開口部１４６から取り出す（排出する）ように構成される。
【００９８】
第６実施形態によれば、パネル部材Ｐを前面扉１４の裏面側１４Ｙの左側開口部１４４から挿入して、右側開口部１４６から取り出すことができるため、前面扉１４の裏面側１４Ｙに生じているデッドスペースを有効に利用することができる。
【図面の簡単な説明】
【００９９】
【図１】本発明の第１実施形態に係る遊技機の正面図である。
【図２】本発明の第１実施形態に係る遊技機の扉体を開いて遊技機の内部の構成を示した斜視図である。
【図３】本発明の第１実施形態に係る遊技機の扉体の裏面図である。
【図４】本発明の第１実施形態に係る遊技機の扉体の側面図である。
【図５】本発明の第１実施形態に係る遊技機の扉体のパネル収容部材本体にパネル部材が収容された状態を示す要部拡大図である。
【図６】本発明の第１実施形態に係る遊技機の扉体のパネル収容部材本体に収容されていたパネル部材が第２挿通部から排出される状態を示す要部拡大図である。
【図７】本発明の第１実施形態に係る遊技機の扉体のパネル収容部材本体とパネル部材との厚み寸法の関係を示した説明図である。
【図８】本発明の第１実施形態に係る遊技機の電気的構成を示したブロック図である。
【図９】本発明の第２実施形態に係る遊技機の扉体のパネル収容部材本体にパネル部材が収容された状態を示す要部拡大図である。
【図１０】本発明の第２実施形態に係る遊技機の扉体のパネル収容部材本体に収容されていたパネル部材が第２挿通部から排出される状態を示す要部拡大図である。
【図１１】（Ａ）は本発明の第２実施形態に係る遊技機の扉体のパネル収容部材本体に収容されているパネル部材が支持部材により支持された状態の説明図であり、（Ｂ）は支持部材のパネル部材に対する支持が解除された状態の説明図である。
【図１２】本発明の第２実施形態に係る遊技機の要部の電気的構成を示したブロック図である。
【図１３】（Ａ）は錘部材を取り付けたパネル部材が支持部材により支持された状態の説明図であり、（Ｂ）は支持部材のパネル部材に対する支持が解除された状態の説明図である。
【図１４】本発明の第３実施形態に係る遊技機の扉体のパネル収容部材本体にパネル部材が収容された状態を示す要部拡大図である。
【図１５】本発明の第３実施形態に係る遊技機の扉体のパネル収容部材本体に収容されていたパネル部材が第２挿通部から排出される状態を示す要部拡大図である。
【図１６】本発明の第３実施形態に係る遊技機の要部の電気的構成を示したブロック図である。
【図１７】本発明の第３実施形態に係る遊技機の変形例を示すものであり、扉体のパネル収容部材本体にパネル部材が収容された状態を示す要部拡大図である。
【図１８】本発明の第３実施形態に係る遊技機の変形例を示すものであり、扉体のパネル収容部材本体に収容されていたパネル部材が第２挿通部から排出される状態を示す要部拡大図である。
【図１９】本発明の第４実施形態に係る遊技機の扉体のパネル収容部材本体に古いパネル部材が収容された状態を示す要部拡大図である。
【図２０】本発明の第４実施形態に係る遊技機の扉体のパネル収容部材本体に古いパネル部材が収容されており、かつ新しいパネル部材が収容されてくる状態を示す要部拡大図である。
【図２１】本発明の第４実施形態に係る遊技機の扉体のパネル収容部材本体に新しいパネル部材が収容され、かつ古いパネル部材が排出されていく状態を示す要部拡大図である。
【図２２】本発明の第４実施形態に係る遊技機の要部の電気的構成を示したブロック図である。
【図２３】本発明の第５実施形態に係る遊技機の扉体のパネル収容部材本体にパネル部材が収容された状態を示す要部拡大図である。
【図２４】本発明の第５実施形態に係る遊技機の扉体のパネル収容部材本体に収容されていたパネル部材がＵターンして第１挿通部から排出されていく状態を示す要部拡大図である。
【図２５】本発明の第５実施形態に係る遊技機の要部の電気的構成を示したブロック図である。
【図２６】本発明の第６実施形態に係る遊技機の扉体の裏面図である。
【符号の説明】
【０１００】
１０      スロットマシン（遊技機）
１２      箱体
１４      前面扉（扉体）
１４Ｘ    前面側
１４Ｙ    裏面側
１５      中板部材
５２      サブ制御基板（制御手段）
１１０    パネル収容部材
１１２    パネル収容部材本体
１１４    上側開口部（第１挿通部）
１１６    下側開口部（第２挿通部）
１２８    支持部材（排出部材）
１３４    受止部材
１３８    光センサ（検知手段）
１４２    駆動ローラ（ローラ部材、排出部材）
１４２Ａ  駆動ローラ（ローラ部材、排出部材）
１４２Ｂ  駆動ローラ（ローラ部材、排出部材）
１４４    左側開口部（第１挿通部）
１４６    右側開口部（第２挿通部）
１４８    ピン部材（排出部材）
１５０    バランス調整部材（排出部材）
１５６    方向変換ローラ（排出部材）
Ｐ        パネル部材
【図１】
0004978898.tif 000002
【図２】
0004978898.tif 000003
【図３】
0004978898.tif 000004
【図４】
0004978898.tif 000005
【図５】
0004978898.tif 000006
【図６】
0004978898.tif 000007
【図７】
0004978898.tif 000008
【図８】
0004978898.tif 000009
【図９】
0004978898.tif 000010
【図１０】
0004978898.tif 000011
【図１１】
0004978898.tif 000012
【図１２】
0004978898.tif 000013
【図１３】
0004978898.tif 000014
【図１４】
0004978898.tif 000015
【図１５】
0004978898.tif 000016
【図１６】
0004978898.tif 000017
【図１７】
0004978898.tif 000018
【図１８】
0004978898.tif 000019
【図１９】
0004978898.tif 000020
【図２０】
0004978898.tif 000021
【図２１】
0004978898.tif 000022
【図２２】
0004978898.tif 000023
【図２３】
0004978898.tif 000024
【図２４】
0004978898.tif 000025
【図２５】
0004978898.tif 000026
【図２６】
0004978898.tif 000027